(57)【要約】【課題】救命胴衣がどの方向からも視認しやすくなるようにするとともに、胴衣のフィット性を向上させ、装着時に痛みや違和感等が生じないようにする。【解決手段】気嚢室が形成される膨張体部２が、首部分２ａと左右一対の垂下部分２ｂからなる略逆Ｕ字型にされ、首部分２ａの中央裏側に、縦ベルト３が縫着されるとともに、垂下部分２ｂの下端部に固定ベルト５が縫着され、縦ベルト３の下端部から固定ベルト５の下端部に向けて胴体ベルト４が延出する救命胴衣１において、膨張体部２の周縁部に反射テープ８を縫い付ける。また、固定ベルト５の縫着部の端末コーナ部に丸みｒを形成し、縦ベルト３と膨張体部２の縫着部を三角布１５で補強する。【選択図】      図１
2004243856.tif 000002
【特許請求の範囲】
【請求項１】
首の後ろから両肩上部を通して両胸前部を覆うように垂下する部分に気嚢室を有する略逆Ｕ字型の膨張体部と、この膨張体部の首部分の裏側中央部から下方に向けて垂下する縦ベルトと、この縦ベルトの下端部と前記膨張体部の左右の垂下部分の下端部とを結ぶように延出する胴体ベルトを備えた救命胴衣であって、前記気嚢室は、前記膨張体部の周縁の内側部分をウエルダー加工することにより形成され、少なくとも膨張体部の上部外周縁には、光反射機能を備えた縁取りテープが縫着されていることを特徴とする救命胴衣。
【請求項２】
前記膨張体部の左右の垂下部分の下端部には、前記胴体ベルトに連結するための固定ベルトが縫着され、この固定ベルトの縫着部分の端末コーナ部には、丸みが形成されることを特徴とする請求項１に記載の救命胴衣。
【請求項３】
前記縦ベルトは膨張体部に縫着されており、この縫着部分は、三角布で補強されることを特徴とする請求項１又は請求項２に記載の救命胴衣。
【発明の詳細な説明】
【０００１】
【発明の属する技術分野】
本発明は、例えば海難事故等で装着されている場合、他人に発見されやすい救命胴衣に関する。
【０００２】
【従来の技術】
従来、海難事故等があった場合、他人から発見され易くした救命胴衣として、例えばベスト型胴衣の両肩に軟質プラスチック再帰性反射材を取り付けるような技術とか（例えば、特許文献１参照。）、ベスト型胴衣の両側の前身頃と後身頃に反射テープ付きのカバーを取り付けるような技術（例えば、特許文献２参照。）が知られている。
【０００３】
【特許文献１】
実開昭５６−１３８７９５号公報
【特許文献２】
実開平２−１１０５９９号公報
【０００４】
【発明が解決しようとする課題】
ところが、前者の実開昭５６−１３８７９５号のように両肩に反射テープを設けようとすると、救命胴衣の形態が、両肩部分も含めて気嚢室とされるものである場合には、気嚢室部分の表面であるため縫着等によってしっかりと固定するのが困難で、また、接着や粘着等によって貼着しようとすると、剥がれ易くなるという問題があった。
また、後者の実開平２−１１０５９９号公報のように、ベスト型胴衣の両側の前身頃と後身頃に反射テープ付きのカバーを取付ける方法では、身体の向きによって反射しにくくなる場合があり、発見されない可能性がある等の問題があった。
また、一般的に、両肩部分を含めて気嚢室とされる簡易型の救命胴衣の場合、ベスト型の救命胴衣に較べて身体に対するフィット感が得られにくく、また、ベルト等の縫着部が体に触ると、痛みや違和感を生じることがあった。
【０００５】
そこで本発明は、両肩部分を含めて気嚢室とされる略逆Ｕ字型の膨張体部にベルトが取付けられるような形態の救命胴衣において、どの方向からも視認しやすくして発見され易いようにすると同時に、装着時のフィット性を高め、また装着時に痛みや違和感等が生じないようにすることを目的とする。
【０００６】
【課題を解決するための手段】
上記目的を達成するため本発明は、首の後ろから両肩上部を通して両胸前部を覆うように垂下する部分に気嚢室を有する略逆Ｕ字型の膨張体部と、この膨張体部の首部分の裏側中央部から下方に向けて垂下する縦ベルトと、この縦ベルトの下端部と前記膨張体部の左右の垂下部分の下端部とを結ぶように延出する胴体ベルトを備えた救命胴衣において、前記気嚢室を、膨張体部の周縁の内側部分をウエルダー加工することにより形成し、少なくとも膨張体部の上部外周縁に、光反射機能を備えた縁取りテープを縫着するようにした。
【０００７】
このように、略逆Ｕ字型の膨張体部のうち、上部外周縁に光反射機能を備えた縁取りテープを設ければ、例えば海中等に浮遊中でもあらゆる方向から視認することが可能となる。また、縁取りテープは気嚢室に接しない膨張体部の外周縁部に縫着されているため、反射機能を備えた縁取りテープが脱落することもない。
ここで、膨張体部のうち、特に上半分である上部外周縁は目につきやすい箇所であるため、少なくともこの箇所には縁取りテープを設けるようにするが、上部内周縁や、下部外周縁や下部内周縁に設けるのは自由である。
【０００８】
また本発明では、前記膨張体部の左右の垂下部分の下端部には、胴体ベルトに連結するための固定ベルトを縫着するようにし、この固定ベルトの縫着部分の端末コーナ部には、丸みを形成するようにした。
【０００９】
このように、固定ベルトの端末コーナ部に丸みを形成すれば、装着時等に同部が身体に触って不快感を与えるような不具合がなくなり、また、ベルトの材質や構造等によっては、端末がほつれるような不具合も抑制出来る。
【００１０】
また本発明では、膨張体部に縫着される縦ベルトの縫着部分を、三角布で補強するようにした。
このように、縦ベルトと膨張体部の縫着部を三角布で補強することにより、強度アップが図れるとともに、胴衣装着時に体にフィットしやすくなる。
【００１１】
【発明の実施の形態】
本発明の実施の形態について添付した図面に基づき説明する。
ここで、図１は本発明に係る救命胴衣の正面図、図２は同背面図、図３は図１のＡ−Ａ線断面図、図４は折り畳み状態を示す説明図である。
【００１２】
本発明に係る救命胴衣は、例えば海中等を浮遊中、体の向きの如何に拘わらず他人から発見されやすいようにされ、しかも、反射テープ等の視認手段が胴衣から剥がれるような不具合がないようにされており、同時に、装着時に身体に対する痛みや違和感がないようにされるとともに、フィット性を良好に出来るようにされている。
【００１３】
すなわち、本発明に係る救命胴衣１は、図１、図２に示すように、首部分２ａの両側から下方に垂下する一対の垂下部分２ｂを備えた略逆Ｕ字型の膨張体部２と、この膨張体２の首部分２ａの裏側から下方に垂下する縦ベルト３と、この縦ベルト３の下端側の袋部分３ｈを横方向に挿通する胴体ベルト４と、前記膨張体部２の垂下部分２ｂの下端部に縫着される各固定ベルト５を備えており、前記胴体ベルト４は、各固定ベルト５の下端部に連結されている。
【００１４】
前記膨張体部２は、図３にも示すように、気嚢室を形成するための二枚の気密性シート６と、裏布７を備えており、二枚の気密性シート６は、周縁部から僅かに内側に入り込んだ箇所が融着部ｐとして全周に亘ってウエルダー加工により融着され、この融着部ｐより内側領域が気嚢室として構成されている。
また、膨張体部２の周縁部は、二枚の気密性シート６と裏布７を一体に包み込むように、外周縁部から内周縁部の全周に亘って縁取りテープとしての反射テープ８が気嚢室を避けた位置に縫い付けられている。
因みに、本実施例では、膨張体部２の周縁部全周に反射テープ８を設けているが、少なくとも、膨張体部２の上半分の外周縁部に設ければ良く、その他の箇所、例えば内周縁部や下半分の外周縁部は必ずしも反射テープ８を使用する必要はない。
【００１５】
また、膨張体部２の一方側の垂下部分２ｂの前面側には、気嚢室に連通する給気ノズル１０や、排気部１１が設けられ、また、他方側の垂下部分２ｂの前面には、自動給気のためのボンベ等の前面を覆うことの出来るカバー１２が設けられている。そして、前面側の融着部ｐより外側領域の周縁部分には、反射テープ８に隣接して適宜箇所に雄型面ファスナ１３ａや雌型面ファスナ１３ｂが縫着されており、また、裏面側にも、裏布７に対して適宜箇所に雌型面ファスナ１３ｂが縫着されている。
因みに、これらの面ファスナ１３ａ、１３ｂは、後述する要領で救命胴衣１を折り畳んで収納する時、前面側の気密性シート６が外部に露出しないように折り畳むためのものである。
また、膨張体部２の首部分２ａ下方の内周縁部には、首への肌触り性を向上させるための保護布１４が設けられている。
【００１６】
前記縦ベルト３は、膨張体部２の首部分２ａ中央の裏布７に縫着されており、また、この縦ベルト３の縫着部は、三角布１５で補強されている。
すなわち、図２に示すように、逆三角形の三角布１５の上辺が裏布７に縫着され、この三角布１５に対して縦ベルト３が縫い付けられている。
そして、この縦ベルト３の下端部は、袋部分３ｈとされ、この袋部分３ｈの中を胴体ベルト４がスライド自在に挿通している。
【００１７】
前記固定ベルト５は、膨張体部２の垂下部分２ｂの下端部のうち、融着部ｐより外側領域を表裏面方向に挟み込むように縫着され、縫着部分の端末コーナ部には、表裏面とも丸みｒが形成されている。
そして、本実施例では、ベルトの端末コーナ部をアールカットし、熱融着して端末の糸のばらつきがないようにするとともに、同部が体に触っても痛みや違和感等が生じないようにしている。
【００１８】
そして、この固定ベルト５のうち、一方側の固定ベルト５の下端部は袋状にし、この袋部分に対して前記胴体ベルト４の一端側をスライド自在に挿通させるとともに、他方側の固定ベルト５の下端部に胴体ベルト４の他端側に縫着している。
【００１９】
前記胴体ベルト４は、着脱自在な係脱部材１６を備えており、また、長さの調整が可能にされている。
【００２０】
以上のような救命胴衣１において、着用者は膨張体部２を頭から被るように装着し、首部分２ａを首の後ろに位置させるとともに、垂下部分２ｂを両胸の前方に垂下させ、胴体ベルト４を胴体に巻き付けて固定する。
【００２１】
この際、固定ベルト５の端末コーナ部が体に触って痛みを与えたり、違和感を与えたりするような不具合はなく、また、縦ベルト３の縫着部が三角布１５で補強されているため、繰り返し使用しても縫着部の接合強度は十分であり、しかも三角布１５を着用者の背中に密着させることが出来る。すなわち、フィット性を高めることが出来る。
【００２２】
また、例えばこの胴衣１を装着して海中等を浮遊中、反射テープ８はあらゆる方向から容易に視認することが出来、姿勢によって見にくくなるような不具合がない。しかも、この反射テープ８は、膨張体部２に縫着されているため、剥がれ落ちるような不具合もない。
【００２３】
次に、この救命胴衣１を収納する時の状態について、図４に基づき説明する。
まず、図４（ａ）に示す状態から、（ｂ）に示すように、首部分２ａの上半分を表側に向けて折り返し、首部分２ａの面ファスナ１３ａ、１３ｂを係着させる。
【００２４】
次に、同（ｂ）に示すように、垂下部分２ｂの内側領域部分の一部を表の外側に向けて折り返した後、垂下部分２ｂの外側領域の一部を表の内側に向けて折り返し、表裏面の面ファスナ１３ａ、１３ｂを係着させる。
また、同様に、他方側の垂下部分２ｂも（ｃ）に示すように、同様の形態で折り返して表裏面の面ファスナ１３ａ、１３ｂを係着させる。
【００２５】
すると、（ｄ）に示すように、気密性シート６が外部から隠されて裏布７だけが外部に露出するようになり、このような状態で収納しておけば、気嚢室の保護が図られる。
【００２６】
尚、本発明は以上のような実施形態に限定されるものではない。本発明の特許請求の範囲に記載した事項と実質的に同一の構成を有し、同一の作用効果を奏するものは本発明の技術的範囲に属する。
【００２７】
【発明の効果】
以上のように本発明に係る救命胴衣は、略逆Ｕ字型の膨張体部のうち、少なくとも上部外周縁に、光反射機能を備えた縁取りテープを縫着するようにしたため、あらゆる方向から容易に視認出来るようになり、また、脱落等のない状態で固定することが出来る。
そして、膨張体部に縫着される固定ベルトの端末コーナ部に丸みを形成することで、体に触っても痛みや不快感を与えるような不具合がない。
また、縦ベルトを膨張体部に縫着する部分を三角布で補強すれば、強度アップが図られると同時に胴衣装着時に体に密着しやすくなる。
【図面の簡単な説明】
【図１】本発明に係る救命胴衣の正面図
【図２】同背面図
【図３】図１のＡ−Ａ線断面図
【図４】折り畳み状態を示す説明図
【符号の説明】
１…救命胴衣、２…膨張体部、２ａ…首部分、２ｂ…垂下部分、３…縦ベルト、４…胴体ベルト、５…固定ベルト、８…反射テープ、１５…三角布、ｒ…丸み。
【図１】
2004243856.tif 000003
【図２】
2004243856.tif 000004
【図３】
2004243856.tif 000005
【図４】
2004243856.tif 000006